Podtech/llm-jp-corpus-v4-ja_patent huggingface dataset:
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
遊技領域に遊技球を発射し、前記遊技領域に形成された始動入賞口に遊技球が入球したことを契機に図柄ゲームとして特別図柄を変動表示させた後に停止表示させ、停止表示した図柄が所定の表示態様である場合に遊技者に利益を付与可能な特別遊技を行うぱちんこ遊技機であって、
前記図柄ゲームを含む遊技の進行を制御する主制御手段と、
前記主制御手段と通信可能に接続され、前記主制御手段から送信される送信情報に応じた制御処理を行う副制御手段と、
特別図柄の変動表示開始から停止表示までを一演出期間とし、前記一演出期間内において第１演出用図柄を演出表示部にて変動表示させた後で、第１演出用図柄の最終的な組合せを演出表示部にて表示させ得るよう制御し、
特別図柄の変動表示開始から停止表示までを一演出期間とし、前記一演出期間内において第２演出用図柄を演出表示部にて変動表示させた後で、第２演出用図柄の最終的な組合せを演出表示部にて表示させ得るよう制御し、
演出用図柄の視認性に関する状態として、停止表示している状態を少なくとも含む視認容易である容易状態と、容易状態よりも視認困難である困難状態と、を少なくとも有しており、
所定のリーチ演出が実行される図柄変動において、第２演出用図柄の少なくとも１つの図柄が困難状態である状況において、第１演出用図柄のすべての図柄が容易状態となる場合を有するよう構成されたぱちんこ遊技機。
【手続補正２】
【補正対象書類名】明細書
【補正対象項目名】０００５
【補正方法】変更
【補正の内容】
【０００５】
上記課題を解決するために本発明は、遊技領域に遊技球を発射し、前記遊技領域に形成された始動入賞口（第１始動入賞口、第２始動入賞口など）に遊技球が入球したことを契機に図柄ゲームとして特別図柄を変動表示させた後に停止表示させ、停止表示した図柄が所定の表示態様である場合に遊技者に利益を付与可能な特別遊技を行うぱちんこ遊技機であって、
前記図柄ゲームを含む遊技の進行を制御する主制御手段（メイン基板など）と、
前記主制御手段と通信可能に接続され、前記主制御手段から送信される送信情報（メインコマンドなど）に応じた制御処理を行う副制御手段（サブメイン基板など）と、
特別図柄の変動表示開始から停止表示までを一演出期間とし、前記一演出期間内において第１演出用図柄（装飾図柄又は縮小装飾図柄）を演出表示部にて変動表示させた後で、第１演出用図柄の最終的な組合せを演出表示部にて表示させ得るよう制御し、
特別図柄の変動表示開始から停止表示までを一演出期間とし、前記一演出期間内において第２演出用図柄（縮小装飾図柄又は装飾図柄）を演出表示部にて変動表示させた後で、第２演出用図柄の最終的な組合せを演出表示部にて表示させ得るよう制御し、
演出用図柄の視認性に関する状態として、停止表示している状態を少なくとも含む視認容易である容易状態と、容易状態よりも視認困難である困難状態と、を少なくとも有しており、
所定のリーチ演出が実行される図柄変動において、第２演出用図柄の少なくとも１つの図柄が困難状態である状況において、第１演出用図柄のすべての図柄が容易状態となる場合を有するよう構成されたぱちんこ遊技機である。
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
抽出対象に対して液体を注ぐことが可能な注ぎ部が設けられた本体と、
前記注ぎ部を動かす動作部と、
を備える飲料製造装置であって、
前記本体は、前記注ぎ部を動かすための前記動作部の動きを外部から視認可能にする透過部を含む、
ことを特徴とする飲料製造装置。
【請求項２】
請求項１に記載の飲料製造装置であって、
前記透過部を介して、前記注ぎ部の動きが外部から視認可能である、
ことを特徴とする飲料製造装置。
【請求項３】
請求項１又は請求項２に記載の飲料製造装置であって、
前記透過部は本体正面中央から側部に向かって曲った形状であることにより、前記注ぎ部の動きを本体正面及び他の角度から視認可能である、
ことを特徴とする飲料製造装置。
【請求項４】
請求項１乃至請求項３のいずれか一項に記載の飲料製造装置であって、
前記注ぎ部が回転動作を実行可能である、
ことを特徴とする飲料製造装置。
【請求項５】
請求項１乃至請求項４のいずれか一項に記載の飲料製造装置であって、
前記動作部は、複数の部品から構成されている、
ことを特徴とする飲料製造装置。
【請求項６】
請求項１乃至請求項５のいずれか一項に記載の飲料製造装置であって、
前記動作部を駆動する駆動部が前記本体に設けられている、
ことを特徴とする飲料製造装置。
【手続補正２】
【補正対象書類名】明細書
【補正対象項目名】０００７
【補正方法】変更
【補正の内容】
【０００７】
本発明によれば、
抽出対象（例えば、焙煎コーヒー豆の挽き豆）に対して液体を注ぐことが可能な注ぎ部が設けられた本体と、
前記注ぎ部を動かす動作部と、
を備える飲料製造装置であって、
前記本体は、前記注ぎ部を動かすための前記動作部の動きを外部から視認可能にする透過部を含む、
ことを特徴とする飲料製造装置が提供される。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
複数の選択要素から一部の選択要素を抽選により選択する要素選択手段と、ゲーム画像内に前記複数の選択要素と対応関係が設定された状態で表示される複数のゲーム要素のそれぞれの価値を前記要素選択手段の選択に基づいて複数の段階で制御する価値制御手段と、を備え、
前記要素選択手段の選択と前記ゲーム要素の価値の制御との対応関係が抽選により少なくとも２つの段階の間で互いに異なるように設定され、
前記価値制御手段は、前記要素選択手段の選択と前記複数の段階ごとの対応関係とに基づいて前記複数の段階ごとに前記ゲーム要素の価値を制御しつつ、異なる段階に変化するときには変化前のゲーム要素の価値に基づいて変化後のゲーム要素の価値を設定するゲームシステム。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段を備え、
前記メイン制御手段は、割込み処理によって更新可能な所定のカウンタを備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能にし、
特別遊技状態において特別役物が作動していない前記所定期間で実行される割込み処理では、特別遊技状態であり、かつ、特別役物が作動していないことを示す試験信号を出力するための処理を実行可能とし、
特別遊技状態において特別役物が作動していない前記所定期間において、特別遊技状態であり、かつ、特別役物が作動していないことを示す試験信号を出力するための処理を複数回実行可能に構成されており、
前記所定のカウンタの値を用いることにより前記所定期間が経過したか否かを判定可能に構成されている
ことを特徴とする遊技機。
【手続補正２】
【補正対象書類名】明細書
【補正対象項目名】０００８
【補正方法】変更
【補正の内容】
【０００８】
上記課題を解決した本発明に係る遊技機は、
遊技の進行を制御するメイン制御手段を備え、
前記メイン制御手段は、割込み処理によって更新可能な所定のカウンタを備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能にし、
特別遊技状態において特別役物が作動していない前記所定期間で実行される割込み処理では、特別遊技状態であり、かつ、特別役物が作動していないことを示す試験信号を出力するための処理を実行可能とし、
特別遊技状態において特別役物が作動していない前記所定期間において、特別遊技状態であり、かつ、特別役物が作動していないことを示す試験信号を出力するための処理を複数回実行可能に構成されており、
前記所定のカウンタの値を用いることにより前記所定期間が経過したか否かを判定可能に構成されている
ことを特徴とする。
【手続補正３】
【補正対象書類名】明細書
【補正対象項目名】００１０
【補正方法】変更
【補正の内容】
【００１０】
この点、本発明に係る遊技機では、所定期間の待機処理を実行することにより、特別役物の作動が終了したか否かを試験装置に確実に把握させることができる。
【手続補正４】
【補正対象書類名】明細書
【補正対象項目名】００１２
【補正方法】変更
【補正の内容】
【００１２】
また、他の発明に係る遊技機は、複数種類の図柄を可変表示する複数のリールと、当選役を決定する役決定手段と、所定の情報を記憶可能な記憶手段と、前記所定の情報に基づいて、外部に送信する試験信号を生成する試験信号生成手段と、前記役決定手段により特別役が決定した場合に、当該特別役に対応する図柄の組合せが停止表示されたことに基づいて単位遊技毎に特殊遊技を繰り返し実行する特別遊技を開始し、所定の終了条件を満たしたことに基づいて特別遊技を終了する特別遊技制御手段と、定期的に実行される割込み処理と、を有し、前記割込み処理によって、前記試験信号生成手段により生成された試験信号を外部に送信可能とし、前記特別遊技制御手段で実行される特別遊技において、特殊遊技が終了した後、割込み処理が所定回数実行されるまでの所定の期間は遊技の進行を遅延し、前記所定の情報は、前記特殊遊技が開始したことに基づいて第２の遊技情報となり、特殊遊技が終了したことに基づいて第１の遊技情報に更新され得る情報であり、前記割込み処理は、前記所定の期間においても前記所定の情報に基づいた試験信号を送信可能とすることを特徴とする。
【手続補正５】
【補正対象書類名】明細書
【補正対象項目名】００１３
【補正方法】変更
【補正の内容】
【００１３】
他の発明に係る遊技機では、さらに、定期的に実行される割込み処理（タイマ割込み処理とも称す）の実行回数（割込みカウンタとも称す）に基づいて遊技の進行を遅延するため、遊技の進行を遅延している間に複数回のタイマ割込み処理が実行されることとなる。そして、遊技の進行を遅延している間に実行されたタイマ割込み処理により、所定の情報（ここでは、第２種特別役物の作動が終了したことに基づく情報）に基づいて試験信号を複数回（タイマ割込み処理が実行された回数）外部（たとえば、試験装置）に送信することができる。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
ガイドＲＮＡを真核細胞にトランスフェクトすること、および
前記ガイドＲＮＡと相互作用するＣａｓ９タンパク質をコードする核酸を前記真核細胞にトランスフェクトすること
を含み、
前記ガイドＲＮＡが前記真核細胞のゲノム上の標的核酸に結合し、
前記ガイドＲＮＡが、スペーサーと前記スペーサーと連結された足場を含み、ここで、前記スペーサーは前記標的核酸に相補的であり、
前記足場が以下の核酸
ＧＵＵＵＵＡＧＡＧＣＵＡＧＡＡＡＵＡＧＣＡＡＧＵＵＡＡＡＡＵＡＡＧＧＣＵＡＧＵＣＣＧＵＵＡＵＣＡＡＣＵＵＧＡＡＡＡＡＧＵＧＧＣＡＣＣＧＡＧＵＣＧＧＵＧＣ（配列番号：４５）
を含む、真核細胞をインビトロ又はエクスビボで改変する方法。
【請求項２】
前記Ｃａｓ９タンパク質がＣａｓ９酵素であり、前記標的核酸が切断される、請求項１に記載の方法。
【請求項３】
前記ガイドＲＮＡが、前記ガイドＲＮＡをコードする第一の核酸を前記真核細胞に導入することにより前記真核細胞にトランスフェクトされ、
前記Ｃａｓ９タンパク質をコードする核酸が、前記Ｃａｓ９タンパク質をコードする第二の核酸を前記真核細胞に導入することにより前記真核細胞にトランスフェクトされ、
前記真核細胞が、前記ガイドＲＮＡ及び前記Ｃａｓ９タンパク質を生成する、請求項１に記載の方法。
【請求項４】
前記第一の核酸が、ウイルス的送達法を用いて前記真核細胞に導入される、請求項３に記載の方法。
【請求項５】
前記第一の核酸が、アデノ随伴ウイルスを用いて前記真核細胞に導入される、請求項３に記載の方法。
【請求項６】
前記Ｃａｓ９タンパク質が、Ｃａｓ９酵素、Ｃａｓ９ニッカーゼ、ヌクレアーゼ欠損Ｃａｓ９、改変Ｃａｓ９、またはＣａｓ９のホモログである、請求項１に記載の方法。
【請求項７】
前記真核細胞が、酵母細胞、植物細胞、または哺乳動物細胞である、請求項１に記載の方法。
【請求項８】
前記真核細胞がヒト細胞である、請求項１に記載の方法。
【請求項９】
異なる標的核酸に相補的なスペーサーを有する複数のガイドＲＮＡが、前記真核細胞にトランスフェクトされ、
前記複数のガイドＲＮＡが、前記異なる標的核酸に結合し、
前記Ｃａｓ９タンパク質が、前記複数のガイドＲＮＡと相互作用する、請求項１に記載の方法。
【請求項１０】
前記Ｃａｓ９タンパク質が、ヒトコドン最適化されている、請求項１に記載の方法。
【請求項１１】
前記Ｃａｓ９タンパク質が、核局在化シグナルを含む、請求項１に記載の方法。
【請求項１２】
遺伝子座中の複数の標的核酸に相補的な複数のガイドＲＮＡが、前記真核細胞にトランスフェクトされ、
前記複数のガイドＲＮＡが、前記複数の標的核酸に結合し、
前記Ｃａｓ９タンパク質が、前記複数の標的核酸を切断するＣａｓ９酵素であり、
その間に位置する核酸が前記遺伝子座から欠失される、請求項１に記載の方法。
【請求項１３】
前記Ｃａｓ９タンパク質が、前記標的核酸を切断するＣａｓ９酵素であり、
前記真核細胞に付与されたドナー核酸が前記標的核酸に挿入される、請求項１に記載の方法。
【請求項１４】
前記Ｃａｓ９タンパク質が、ヌクレアーゼ欠損であり、転写活性化ドメインまたは転写抑制ドメインを含み、
標的遺伝子の発現が調節される、請求項１に記載の方法。
【請求項１５】
前記Ｃａｓ９タンパク質が、ヌクレアーゼ欠損であり、蛍光タンパク質を含み、
前記蛍光タンパク質が可視化される、請求項１に記載の方法。
【請求項１６】
前記Ｃａｓ９タンパク質が、ヌクレアーゼ欠損であり、タンパク質結合有機フルオロフォア、核酸結合有機フルオロフォア、量子ドット、分子ビーコン、エコープローブ、または多価リガンド結合タンパク質ドメインを含む、請求項１に記載の方法。
【請求項１７】
前記配列番号４５で表される核酸配列の３’末端にさらにＵＵＵＵが連結している、請求項１に記載の方法。
【手続補正２】
【補正対象書類名】明細書
【補正対象項目名】配列表
【補正方法】変更
【補正の内容】
【配列表】
2019076097000001.app
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
可変表示を行ない、遊技者にとって有利な有利状態に制御可能な遊技機であって、
第１演出装置による演出を制御する第１制御手段と、
第２演出装置による演出を制御する第２制御手段とを備え、
前記第１制御手段は、可変表示中と可変表示の終了後とで、前記第１演出装置による演出を同様の態様で制御し、
前記第２制御手段は、可変表示中と可変表示の終了後とで、前記第２演出装置による演出を異なる態様で制御する、遊技機。
【手続補正２】
【補正対象書類名】明細書
【補正対象項目名】０００１
【補正方法】変更
【補正の内容】
【０００１】
本発明は、遊技機に関する。詳しくは、可変表示を行ない、遊技者にとって有利な有利状態に制御可能な遊技機に関する。
【手続補正３】
【補正対象書類名】明細書
【補正対象項目名】０００６
【補正方法】変更
【補正の内容】
【０００６】
（Ａ）  可変表示を行ない、遊技者にとって有利な有利状態（たとえば、大当り状態）に制御可能な遊技機（たとえば、パチンコ遊技機１、スロットマシン）であって、
第１演出装置（たとえば、スピーカ２７、演出表示装置９）による演出（たとえば、音演出、背景演出）を制御する第１制御手段（たとえば、演出制御用マイクロコンピュータ１００）と、
第２演出装置（たとえば、枠ＬＥＤ２８）による演出（たとえば、ランプ演出）を制御する第２制御手段（たとえば、演出制御用マイクロコンピュータ１００）とを備え、
前記第１制御手段は、可変表示中と可変表示の終了後とで、前記第１演出装置による演出を同様の態様（たとえば、同じ楽曲を出力する演出態様）で制御し（たとえば、図２４のステップＳ８２０、図２７のステップＳ８００７、図３３のステップＳ８１０７、図２４のステップＳ８１１Ｂ、図２６参照）、
前記第２制御手段は、可変表示中と可変表示の終了後とで、前記第２演出装置による演出を異なる態様（たとえば、異なる発光パターンの演出態様）で制御する（たとえば、図２７のステップＳ８００７、図３３のステップＳ８１０７、図２６参照、ランプデータＢとしては発光演出を実行しないデータであるが、発光演出を実行するデータであってもよい。）。
このような構成によれば、遊技の興趣を向上させることが可能な遊技機を提供することができる。
【手続補正４】
【補正対象書類名】明細書
【補正対象項目名】０００７
【補正方法】変更
【補正の内容】
【０００７】
（１）  各々を識別可能な識別情報（たとえば、演出図柄）の可変表示を行ない、特定表示結果（たとえば、大当り図柄）が導出表示されたときに遊技者にとって有利な特定遊技状態（たとえば、大当り状態）に制御可能な遊技機（たとえば、パチンコ遊技機１、スロットマシン）であって、
第１演出装置（たとえば、スピーカ２７、演出表示装置９）による演出（たとえば、音演出、背景演出）を制御する第１制御手段（たとえば、演出制御用マイクロコンピュータ１００）と、
前記第１演出装置と異なる第２演出装置（たとえば、枠ＬＥＤ２８）による演出（たとえば、ランプ演出）を制御する第２制御手段（たとえば、演出制御用マイクロコンピュータ１００）とを備え、
前記第１制御手段は、前記識別情報の可変表示中と表示結果の導出表示後とにおいて、前記第１演出装置による演出を同様の態様（たとえば、同じ楽曲を出力する演出態様）で制御する（たとえば、図２４のステップＳ８２０、図２７のステップＳ８００７、図３３のステップＳ８１０７、図２４のステップＳ８１１Ｂ、図２６参照）一方、
前記第２制御手段は、前記識別情報の可変表示中と表示結果の導出表示後とにおいて、前記第２演出装置による演出を異なる態様（たとえば、異なる発光パターンの演出態様）で制御する（たとえば、図２７のステップＳ８００７、図３３のステップＳ８１０７、図２６参照、ランプデータＢとしては発光演出を実行しないデータであるが、発光演出を実行するデータであってもよい。）。
このような構成によれば、遊技者にとって不利な状態における演出効果を向上させつつ、有利な状態であるとの遊技者の錯覚を防止することができる。その結果、遊技の興趣を向上させることが可能な遊技機を提供することができる。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
水域航走体魚雷発射システムであって、
（ａ）水域航走体と、
（ｂ）前記水域航走体に連結された魚雷発射システムであって、中立浮力位置において操作可能である魚雷発射システムと、
（ｃ）各魚雷が係止手段によって第１位置で前記魚雷発射システムに連結されている複数の魚雷と、
（ｄ）前記複数の魚雷に動力を提供する各魚雷に連結されている電力ケーブルと、
（ｅ）前記複数の魚雷のプログラミングを可能にする各魚雷に連結された光ファイバケーブルと、を備え、
前記係止手段、前記電力ケーブル及び前記光ファイバケーブルは、発射前に、前記複数の魚雷から分離され、
各魚雷は浮力によって発射され、
各魚雷は、前記魚雷発射システムから分離されたときに、まず各魚雷の前記第１位置に対して面外に浮かび出る、水域航走体魚雷発射システム。
【請求項２】
前記魚雷発射システムであって、
固定支持フレームと、
軸シャフトを有するほぼ平行な砲身の環状配列を含む砲身アセンブリであって、砲身の前記環状の配列は、前記軸シャフト上の前記固定支持フレーム内で回転するよう搭載された前記砲身アセンブリと、
前記砲身アセンブリがそれぞれ回転する間、固定の射撃位置を越えて各砲身が１回、回転されるように前記砲身アセンブリを回転し、前記固定の射撃位置は、前記砲身アセンブリに隣接した前記支持フレーム内に配置される、前記砲身アセンブリを回転する手段と、を備え、
前記水域航走体の扉は、前記固定の射撃位置の上方に配置され、閉鎖された第１位置及び開放された第２位置を有し、
前記扉が前記開放された第２位置にあるときには、前記係止手段、前記電力ケーブル及び前記光ファイバケーブルは、前記複数の魚雷から分離される、請求項１に記載のシステム。
【請求項３】
前記水域航走体は、一度に４０までの魚雷を格納することが可能である、請求項２に記載のシステム。
【請求項４】
前記魚雷発射システムが、
平坦なプラットフォームと、
前記プラットフォームに連結された固定支持フレームと、を備える、請求項１に記載のシステム。
【請求項５】
前記複数の魚雷を有する前記魚雷発射システムが、
輸送のために空中から落下され、
船舶によって牽引され、
貨物用コンテナで輸送されることが可能な、請求項４に記載のシステム。
【請求項６】
前記水域航走体は無人で運行するよう構成される、請求項１に記載のシステム。
【請求項７】
前記複数の魚雷は、発射する前に航行計画でプログラミングされることが可能な、請求項１に記載のシステム。
【請求項８】
前記複数の魚雷のうちの２つ以上が同時に発射される、請求項１に記載のシステム。
【請求項９】
前記複数の魚雷は前記発射後、航行計画を実行する、請求項１に記載のシステム。 
【請求項１０】
前記魚雷発射システムは、公海で前記複数の魚雷を再装填されることが可能な、請求項１に記載のシステム。
【請求項１１】
水域航走体魚雷発射システムの構成方法であって、
水域航走体を提供し、
中立浮力位置において操作可能な前記魚雷発射システムを前記水域航走体に連結し、
複数の魚雷を係止手段によって第１位置で前記魚雷発射システムに連結し、
前記複数の魚雷に動力を提供する電力ケーブルを各魚雷に連結し、
前記複数の魚雷のプログラミングを可能にする光ファイバケーブルを各魚雷に連結し、
前記係止手段、前記電力ケーブル及び前記光ファイバケーブルが前記魚雷から分離されるように構成することを含み、
各魚雷は浮力によって発射することが可能であり、
各魚雷は、前記魚雷発射システムから分離されたときに、まず各魚雷の前記第１位置に対して面外に浮かび出る、水域航走体魚雷発射システムの構成方法。
【請求項１２】
前記魚雷発射システムが、
固定支持フレームと、
軸シャフトを有するほぼ平行な砲身の環状配列を含む砲身アセンブリであって、砲身の前記環状の配列は、前記軸シャフト上の前記固定支持フレーム内で回転するよう搭載された前記砲身アセンブリと、
前記砲身アセンブリがそれぞれ回転する間、固定の射撃位置を越えて各砲身が１回、回転されるように前記砲身アセンブリを回転する回転手段であって、前記固定の射撃位置は、前記砲身アセンブリに隣接した前記支持フレーム内に配置される、前記砲身アセンブリを回転する手段と、を含む、請求項１１に記載の方法。
【請求項１３】
前記水域航走体の扉を固定の射撃位置の上方に配置し、前記扉は、閉鎖された第１位置及び開放された第２位置を有し、
前記扉を前記開放された第２位置に開かれるよう構成し、
前記扉が前記開放された第２位置にあるときには、前記係止手段と、前記電力ケーブルと、前記光ファイバケーブルは、前記複数の魚雷から分離されることをさらに含む、請求項１１に記載の方法。
【請求項１４】
前記水域航走体は、一度に４０までの魚雷を格納することが可能である、請求項１１に記載の方法。
【請求項１５】
前記魚雷発射システムが、
平坦なプラットフォームと、
前記プラットフォームに連結された固定支持フレームと、を含む、請求項１１に記載の方法。
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
車両構成要素の状態を判定するための方法であって、
異なるドア状態にモータ電流測定値の一又は二以上の特徴をマッピングする診断関数を記憶するステップであって、前記ドア状態のそれぞれが車両のドアの動作に関する問題を有する、ステップと、
所定期間にわたってドアについて前記モータ電流測定値を取得するステップと、
開いた状況から閉じた状況のドアの動き又は閉じた状況から開いた状況のドアの動きを含む前記所定期間の間の前記ドアの開閉サイクルの少なくとも一つを識別するステップと、
前記開閉サイクルの少なくとも一つの間に発生した前記モータ電流測定値を選択するステップと、
前記開閉サイクルの少なくとも一つの間に得られる前記モータ電流測定値から前記特徴を算出するステップと、
を含み、前記算出は、
前記開閉サイクルの少なくとも一つを、少なくとも３つの異なる状況に分割するステップであって、各状況は、モータ電流、ドアのコマンド及び動作状況の一又は二以上に基づいて、異なる所定の規則を用いて識別される、ステップと、
各状況の前記モータ電流測定値を識別するステップと、
前記開閉サイクルの少なくとも一つにおける各状況の前記特徴として、統計測定値を算出するステップを有する実行と、及び、
グラフ上に前記開閉サイクルの少なくとも一つについての前記モータ電流測定値をプロットするステップと、
算術関数を、前記開閉サイクルの少なくとも一つについてのプロットされた前記モータ電流測定値に当てはめるステップと、
前記モータ電流測定値の当てはめられた前記算術関数の係数を前記特徴として識別するステップを有する実行とのうちの一つを含み、方法は、さらに、
記憶された前記診断関数を介して、１つ又は複数のドア状態に前記特徴をマッピングすることによって前記モータ電流測定値の前記特徴を解析するステップと、
前記ドアに関する少なくとも一つの問題についての前記ドアの状態に対応する解析された前記特徴に基づいて、前記ドアの前記問題を、前記異なるドア状態から識別するステップとを含む、方法。
【請求項２】
教師あり機械学習を介して、前記モータ電流の特徴の少なくとも一つを前記異なるドア状態にマッピングする前記診断関数を判定するステップをさらに含む、請求項１に記載の方法。
【請求項３】
前記方法は、さらに、前記モータ電流測定値の前記特徴の判定の前に、前記ドアの単一の開閉サイクルについての前記モータ電流測定値を状況に分割するステップを含み、前記モータ電流測定値の前記特徴は、前記ドアの前記開閉サイクルの少なくとも一つにおいて各状況についての特徴のサブセットを含む、請求項１に記載の方法。
【請求項４】
前記方法は、さらに、前記モータ電流測定値に依存し、前記ドアの前記開閉サイクルの少なくとも一つの異なる段階に関連する規則のセットを用いて、前記開閉サイクルの少なくとも一つについての前記モータ電流測定値の前記状況を判定するステップを含む、請求項１に記載の方法。
【請求項５】
前記異なるドア状態のそれぞれは、汚れの存在、潤滑油の不足、一又は二以上のボルトの緩み、前記ドアとは無関係である物体の存在及びレールの変形の一つを含む、請求項１に記載の方法。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
シートにトナー像を転写する転写部と、
前記転写部によって転写されたトナー像を、熱を使ってシートに定着させる定着部と、
前記定着部によってトナー像が定着されたシートを、排出口へ向けて案内する排出路と、
前記排出路から分岐する分岐路と、
前記分岐路に設けられ、シートを搬送する回転体対と、
前記分岐路を通過させずに前記排出路を介して前記排出口からシートを連続して排出する動作を開始した後、所定のタイミングで前記回転体対の回転を開始させる制御部と、を備えた、
ことを特徴とする画像形成装置。
【請求項２】
前記制御部は、前記排出路を介して所定枚数のシートが連続して前記排出口へ案内されたことに応じて、前記回転体対を回転させる、
ことを特徴とする請求項１に記載の画像形成装置。
【請求項３】
前記排出口から連続して排出されるシートの枚数を計測するカウンタを備え、
前記制御部は、前記カウンタが計測したシートの枚数が前記所定枚数になると、前記回転体対を回転させる、
ことを特徴とする請求項２に記載の画像形成装置。
【請求項４】
前記所定枚数は、シートのサイズに応じて設定されている、
ことを特徴とする請求項２又は３に記載の画像形成装置。
【請求項５】
前記制御部は、前記排出路を介して前記排出口から連続して排出されるシートの枚数が所定枚数未満の場合には、前記回転体対を回転させない、
ことを特徴とする請求項２乃至４のいずれか１項に記載の画像形成装置。
【請求項６】
前記制御部は、前記動作の継続時間が所定時間になったことに応じて、前記回転体対を回転させる、
ことを特徴とする請求項１乃至５のいずれか１項に記載の画像形成装置。
【請求項７】
前記動作の継続時間を計測するタイマーを備え、
前記制御部は、前記タイマーが計測した前記継続時間が前記所定時間になると、前記回転体対を回転させる、
ことを特徴とする請求項６に記載の画像形成装置。
【請求項８】
前記所定時間は、シートのサイズに応じて設定されている、
ことを特徴とする請求項６又は７に記載の画像形成装置。
【請求項９】
前記制御部は、前記動作の継続時間が所定時間未満の場合には、前記回転体対を回転させない、
ことを特徴とする請求項６乃至８のいずれか１項に記載の画像形成装置。
【請求項１０】
前記分岐路は、トナー像が形成されたシートを再度、前記転写部へ向けて案内する、
ことを特徴とする請求項１乃至９のいずれか１項に記載の画像形成装置。
【請求項１１】
前記回転体対は、前記定着部の上方に配置されている、
ことを特徴とする請求項１乃至１０のいずれか１項に記載の画像形成装置。
【請求項１２】
前記分岐路に設けられ、前記回転体対よりもシート搬送方向における下流に配置された他の回転体対を備え、
前記制御部は、前記分岐路を通過させずに前記排出路を介して前記排出口からシートを連続して排出している際に、前記他の回転体対を回転させない、
ことを特徴とする請求項１乃至１１のいずれか１項に記載の画像形成装置。
【請求項１３】
前記制御部は、前記分岐路を通過させずに前記排出路を介して前記排出口からシートを連続して排出している際の方が、前記分岐路にシートが案内される際よりも、前記回転体対を早く回転させる、
ことを特徴とする請求項１乃至１２のいずれか１項に記載の画像形成装置。
【請求項１４】
前記回転体対の少なくとも一方は、発泡材から形成される、
ことを特徴とする請求項１乃至１３のいずれか１項に記載の画像形成装置。
【請求項１５】
前記排出路と前記分岐路との分岐部分に設けられ、前記排出口へ向けてシートを案内する第１位置と前記分岐路へ向けてシートを案内する第２位置との間を移動可能な案内部材を備えた、
ことを特徴とする請求項１乃至１４のいずれか１項に記載の画像形成装置。
【請求項１６】
前記制御部は、前記動作の最中に、回転している前記回転体対の回転を停止できる、
ことを特徴とする請求項１乃至１５のいずれか１項に記載の画像形成装置。
【請求項１７】
シートにトナー像を転写する転写部と、
前記転写部によって転写されたトナー像を、熱を使ってシートに定着させる定着部と、
前記定着部によってトナー像が定着されたシートを、排出口へ向けて案内する排出路と、
前記排出路から分岐する分岐路と、
前記分岐路に設けられ、シートを搬送する回転体対と、
前記分岐路を通過させずに前記排出路を介して前記排出口からシートを所定枚数又は所定時間排出したら、前記回転体対の回転を開始させる制御部と、を備える、
ことを特徴とする画像形成装置。
【請求項１８】
前記回転体対は、前記定着部の上方に配置されている、
ことを特徴とする請求項１７に記載の画像形成装置。
【請求項１９】
前記制御部は、前記分岐路を通過させずに前記排出路を介して前記排出口から連続してシートを排出する動作の最中に、回転している前記回転体対の回転を停止できる、
ことを特徴とする請求項１７又は１８に記載の画像形成装置。
【手続補正２】
【補正対象書類名】明細書
【補正対象項目名】０００８
【補正方法】変更
【補正の内容】
【０００８】
本発明は、画像形成装置において、シートにトナー像を転写する転写部と、前記転写部によって転写されたトナー像を、熱を使ってシートに定着させる定着部と、前記定着部によってトナー像が定着されたシートを、排出口へ向けて案内する排出路と、前記排出路から分岐する分岐路と、前記分岐路に設けられ、シートを搬送する回転体対と、前記分岐路を通過させずに前記排出路を介して前記排出口からシートを連続して排出する動作を開始した後、所定のタイミングで前記回転体対の回転を開始させる制御部と、を備えたことを特徴とする。
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
導電性支持体上に感光層を有する電子写真感光体において、前記感光層が電荷輸送物質
、結着樹脂、及び一般式（１）で表される分子量３５０以下の化合物を含有し、前記電荷
輸送物質がトリアリールアミン誘導体又はエナミン誘導体であり、前記結着樹脂がポリカ
ーボネート樹脂またはポリエステル樹脂であることを特徴とする電子写真感光体。
【化１】
2016118783.tif 000001
（式（１）中、Ａｒ１及びＡｒ２は、それぞれ独立して、水素原子、アルキル基、置換基
としてアルキル基、アルコキシ基またはハロゲン原子を有していてもよいフェニル基、置
換基としてアルキル基、アルコキシ基またはハロゲン原子を有していてもよいナフチル基
、及び置換基としてアルキル基、アルコキシ基またはハロゲン原子を有していてもよいア
ントラセニル基からなる群より選ばれる少なくとも１つの基を表し、Ａｒ３は、置換基と
してアルキル基、アルコキシ基またはハロゲン原子を有していてもよいアリール基を表し
、Ｒ１〜Ｒ３は、それぞれ独立して、水素原子、アルキル基、置換基としてアルキル基、
アルコキシ基またはハロゲン原子を有していてもよいフェニル基からなる群より選ばれる
少なくとも１つの基を表し、Ｘは、置換基としてアルキル基、アルコキシ基またはハロゲ
ン原子を有していてもよいフェニレン基、ナフチレン基、又は単結合を表す。ｎは、０以
上３以下の整数を表す。但し、Ａｒ１及びＡｒ２のうち少なくとも一つは置換基としてア
ルキル基、アルコキシ基またはハロゲン原子を有していてもよいフェニル基、置換基とし
てアルキル基、アルコキシ基またはハロゲン原子を有していてもよいナフチル基、及び置
換基としてアルキル基、アルコキシ基またはハロゲン原子を有していてもよいアントラセ
ニル基からなる群より選ばれる少なくとも１つの基である。また、Ａｒ１及びＡｒ２は炭
素原子、酸素原子若しくは硫黄原子を介して、又は直接結合して環を形成してもよい。）
【請求項２】
前記一般式（１）中、Ａｒ１及びＡｒ２が、それぞれ独立して、水素原子、アルキル基
、置換基としてアルキル基、アルコキシ基またはハロゲン原子を有していてもよいフェニ
ル基、置換基としてアルキル基、アルコキシ基またはハロゲン原子を有していてもよいナ
フチル基からなる群より選ばれる少なくとも１つの基であり、Ｘが単結合であることを特
徴とする請求項１に記載の電子写真感光体。
【請求項３】
前記一般式（１）で表される化合物を結着樹脂１００質量部に対して、０．５質量部以
上、３０質量部以下で含有することを特徴とする請求項１又は２に記載の電子写真感光体
。
【請求項４】
前記一般式（１）で表される化合物を結着樹脂１００質量部に対して、１質量部以上、
１５質量部以下含有することを特徴とする請求項３に記載の電子写真感光体。
【請求項５】
前記電荷輸送物質の分子量が４５０以上であることを特徴とする請求項１〜４のいずれ
か１項に記載の電子写真感光体。
【請求項６】
請求項１〜５のいずれか１項に記載の電子写真感光体、並びに、該電子写真感光体を帯
電させる帯電装置、該帯電した電子写真感光体を露光させて静電潜像を形成する露光装置
、及び、該電子写真感光体上に形成された静電潜像を現像する現像装置からなる群から選
ばれる少なくとも１つ、を備えたことを特徴とする、電子写真感光体カートリッジ。
【請求項７】
請求項１〜５のいずれか１項に記載の電子写真感光体、並びに、該電子写真感光体を帯
電させる帯電装置と、該帯電した電子写真感光体を露光させて静電潜像を形成する露光装
置、及び、該電子写真感光体上に形成された静電潜像を現像する現像装置を備えたことを
特徴とするフルカラー画像形成装置。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
ハイブリッドサンドイッチ型のセラミックマトリクス複合材料（ＣＭＣ）（１０）であって、
セラミックマトリクス（２４）内のフィラメント（２２）を含む第１の表面板（１４）と、
セラミックマトリクス（２４）内のフィラメント（２２）を含む第２の表面板（１６）と、
前記第１の表面板と前記第２の表面板との間で両方の表面板に接着されたコア（１２）と
を含み、前記ハイブリッドサンドイッチ型のＣＭＣは温度勾配に曝されるように構成されており、前記温度勾配では前記第１の表面板が前記第２の表面板よりも高い温度環境に曝され、前記第１の表面板と前記第２の表面板は、ほぼ一致する熱膨張率を有し、前記第１の表面板は前記第２の表面板よりも高い圧縮強度を有し、前記第１の表面板（１４）の前記フィラメント（２２）の直径は、前記第２の表面板（１６）の前記フィラメントの直径よりも大きい、ハイブリッドサンドイッチ型のセラミックマトリクス複合材料（ＣＭＣ）。
【請求項２】
前記第２の表面板（１６）は、前記第１の表面板（１４）よりも高い引張強度を有する、請求項１に記載のハイブリッドサンドイッチ型のＣＭＣ（１０）。
【請求項３】
前記第１の表面板（１４）が、前記第１の表面板の引張強度よりも１．５倍高い圧縮強度を有し、前記第２の表面板（１６）が、前記第２の表面板の圧縮強度よりも１．５倍高い引張強度を有する、請求項１又は２に記載のハイブリッドサンドイッチ型のＣＭＣ（１０）。
【請求項４】
前記第１の表面板（１４）の前記フィラメント（２２）と前記第２の表面板（１６）の前記フィラメント（２２）は同じ化学成分を有し、前記第１の表面板の前記セラミックマトリクス（２４）と前記第２の表面板の前記セラミックマトリクスは同じ化学成分を有し、前記第１の表面板の前記フィラメントの体積率は、前記第２の表面板の前記フィラメントの体積率と等しい、請求項１から３のいずれか一項に記載のハイブリッドサンドイッチ型のＣＭＣ（１０）。
【請求項５】
前記ハイブリッドサンドイッチ型のＣＭＣは円筒形である、請求項１から４のいずれか一項に記載のハイブリッドサンドイッチ型のＣＭＣ（１０）。
【請求項６】
前記第１の表面板（１４）は、前記第２の表面板（１６）よりも直交異方性が高い、請求項１から５のいずれか一項に記載のハイブリッドサンドイッチ型のＣＭＣ（１０）。
【請求項７】
前記第１の表面板（１４）の前記フィラメント（２２）と前記セラミックマトリクス（２４）との間の界面強度は、前記第２の表面板（１６）の前記フィラメント（２２）と前記セラミックマトリクス（２４）との間の界面強度よりも強い、請求項１から６のいずれか一項に記載のハイブリッドサンドイッチ型のＣＭＣ（１０）。
【請求項８】
前記ハイブリッドサンドイッチ型のＣＭＣは、航空機排気システム（３４）の部品の一部であり、前記第１の表面板（１４）は前記航空機排気システムの排気ガスの流路（４２）に面する、請求項１から７のいずれか一項に記載のハイブリッドサンドイッチ型のＣＭＣ（１０）。
【請求項９】
請求項１に記載のハイブリッドサンドイッチ型のセラミックマトリクス複合材料（ＣＭＣ）（１０）を製造する方法であって、
セラミックマトリクス（２４）内のフィラメント（２２）のプリプレグ層を含む第１の表面板（１４）をツール上に積層する（５４）ことと、
前記第１の表面板上にコア（１２）を積層する（５６）ことと、
積層スタックを提供するために、セラミックマトリクス（２４）内のフィラメント（２２）のプリプレグ層を含む第２の表面板（１６）を前記コア上に積層する（５８）ことであって、前記第１の表面板と前記第２の表面板は、前記フィラメントの直径、前記フィラメントの化学的性質、直交異方性の度合い、及び前記フィラメントと前記セラミックマトリクスとの間の界面強度の内の少なくとも一つにおいて異なる、積層する（５８）ことと、
前記積層スタックを第１の温度で硬化させる（６０）ことと、
前記ハイブリッドサンドイッチ型のＣＭＣを提供するために、第２の温度において前記積層スタックを焼結する（６２）ことと
を含む方法。
【手続補正書】
【提出日】令和1年9月4日(2019.9.4)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
第１の表示パネル及び第２の表示パネルを有し、
前記第１の表示パネルは、第１の表示領域と、可視光を透過する領域と、を有し、
前記第２の表示パネルは、第２の表示領域と、第３の表示領域と、可視光を遮る領域と、を有し、
前記第１の表示領域は、前記可視光を透過する領域と隣接し、
前記第３の表示領域は、前記第２の表示領域と前記可視光を遮る領域との間に位置し、かつ、前記第２の表示領域と前記可視光を遮る領域に隣接し、
前記第２の表示領域は、表示を行う面側で、前記可視光を透過する領域と重なり、
前記可視光を遮る領域は、前記第１の表示領域と重なり、
前記第１の表示領域及び前記可視光を透過する領域のうち少なくとも一方は、前記第３の表示領域と重なり、
前記第２の表示領域は、ｍ行ｎ列（ｍ、ｎはそれぞれ独立に２以上の整数）に配設された複数の画素を有し、
前記第３の表示領域は、列方向に配設された複数の画素を有し、
前記第３の表示領域は、前記第２の表示領域が有するｎ列目の画素に隣接し、
前記第３の表示領域が有するｉ行（ｉは１以上ｍ以下の整数）目の画素に供給されるゲート信号及びソース信号は、前記第２の表示領域が有するｉ行ｎ列目の画素に供給されるゲート信号及びソース信号と等しい、表示装置。
【請求項２】
請求項１において、
前記第２の表示領域が有するｉ行ｎ列目の画素は、第１の発光素子及び第１の駆動トランジスタを有し、
前記第３の表示領域が有するｉ行目の画素は、第２の発光素子及び第２の駆動トランジスタを有し、
前記第１の駆動トランジスタのソース又はドレインは、前記第１の発光素子と電気的に接続され、
前記第２の駆動トランジスタのソース又はドレインは、前記第２の発光素子と電気的に接続される、表示装置。
【請求項３】
請求項２において、
前記第２の発光素子の面積は、前記第１の発光素子の面積よりも大きい、表示装置。
【請求項４】
請求項３において、
前記第２の駆動トランジスタのチャネル長（Ｌ）とチャネル幅（Ｗ）の比Ｗ／Ｌは、前記第１の駆動トランジスタのＷ／Ｌに比べて大きい、表示装置。
【請求項５】
請求項２乃至４のいずれか一において、
前記第１の駆動トランジスタは、シングルゲート型であり、
前記第２の駆動トランジスタは、デュアルゲート型である、表示装置。
【請求項６】
請求項１乃至５のいずれか一において、
前記第２の表示パネルは、複数のソース線を有し、
ｎ＋１列目以降のソース線は、ｎ列目のソース線に接続される、表示装置。
【請求項７】
請求項１において、
前記第２の表示領域が有するｉ行ｎ列目の画素は、第１の発光素子、第１の駆動トランジスタ、及び選択トランジスタを有し、
前記第３の表示領域が有するｉ行目の画素は、第２の発光素子及び第２の駆動トランジスタを有し、
前記第１の駆動トランジスタのソース又はドレインは、前記第１の発光素子と電気的に接続され、
前記第２の駆動トランジスタのソース又はドレインは、前記第２の発光素子と電気的に接続され、
前記選択トランジスタのソース又はドレインは、前記第１の駆動トランジスタのゲート及び前記第２の駆動トランジスタのゲートと電気的に接続される、表示装置。
【請求項８】
請求項１において、
前記第２の表示領域が有するｉ行ｎ列目の画素は、第１の発光素子、選択トランジスタ、及び第１の駆動トランジスタを有し、
前記第３の表示領域が有するｉ行目の画素は、第２の発光素子を有し、
前記第１の駆動トランジスタのソース又はドレインは、前記第１の発光素子の画素電極及び前記第２の発光素子の画素電極と電気的に接続され、
前記選択トランジスタのソース又はドレインは、前記第１の駆動トランジスタのゲートと電気的に接続される、表示装置。
【手続補正書】
【提出日】令和1年7月17日(2019.7.17)
【手続補正１】
【補正対象書類名】特許請求の範囲
【補正対象項目名】請求項３
【補正方法】変更
【補正の内容】
【請求項３】
前記登録手段は、前記第１の期間が終了してから、第２の期間が経過するごとに前記追尾手段により追尾された人物の全体もしくは一部から抽出された特徴量をデータベースに登録する
ことを特徴とする請求項２に記載の情報処理装置。
【手続補正２】
【補正対象書類名】特許請求の範囲
【補正対象項目名】請求項１０
【補正方法】変更
【補正の内容】
【請求項１０】
前記人物の一部は、人物の顔であり、
前記登録手段は、顔器官点に関する特徴量をデータベースに登録し、
前記照合手段は、前記クエリ映像から抽出された顔器官点に関する特徴量を、前記データベースに登録された顔器官点に関する特徴量と照合する
ことを特徴とする請求項８に記載の情報処理装置。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
管理サーバと、このプロジェクトの管理者が用いる管理者端末とがネットワークで接続し、プロジェクトの管理者がプロジェクトの進捗状況を示す表示画面を通じてプロジェクトの進捗状況を管理可能なプロジェクト進捗状況管理システムであって、
プロジェクトの工事名、工事場所、工事日、工事時期等の管理項目を記憶するプロジェクト情報記憶手段と、
上記管理項目から所定の項目を選択して種々の所定のフォーマット形式に出力した種々の表示画面を作成する画面作成手段と、を有し
管理項目に現在だけでなく過去や未来の日付けを設定することで、アーカイブとなっている終了したプロジェクトと、将来の実行が予想される仮想プロジェクトとを現在進行中のプロジェクトと同様に表示画面に表示可能とするプロジェクト進捗状況管理システム。
【請求項２】
管理サーバと、このプロジェクトの管理者が用いる管理者端末とがネットワークで接続し、プロジェクトの管理者がプロジェクトの進捗状況を示す表示画面を通じてプロジェクトの進捗状況を管理可能なプロジェクト進捗状況管理システムであって、
プロジェクトの工事名、工事場所、工事日、工事時期等の管理項目を記憶するプロジェクト情報記憶手段と、
上記管理項目から所定の項目を選択して種々の所定のフォーマット形式に出力した種々の表示画面を作成する画面作成手段と、を有し
種々の処理の承認を行うプロジェクト承認手段をさらに有するプロジェクト進捗状況管理システム。
【請求項３】
管理サーバと、このプロジェクトの管理者が用いる管理者端末とがネットワークで接続し、プロジェクトの管理者がプロジェクトの進捗状況を示す表示画面を通じてプロジェクトの進捗状況を管理可能なプロジェクト進捗状況管理システムであって、
プロジェクトの工事名、工事場所、工事日、工事時期等の管理項目を記憶するプロジェクト情報記憶手段と、
上記管理項目から所定の項目を選択して種々の所定のフォーマット形式に出力した種々の表示画面を作成する画面作成手段と、を有し
前記管理項目のうち、何れか一の管理項目と、その管理項目に関連づけられる別の管理項目とを対比して所定の条件を満足するか否かを判断するアラート判断手段と、
前記アラート判断手段により作成されたアラートに基づき、施工者の能力又は、施工者の品質向上を判断するリストを作成するプロジェクト進捗状況管理システム。
【手続補正書】
【提出日】令和1年9月4日(2019.9.4)
【手続補正１】
【補正対象書類名】明細書
【補正対象項目名】発明の名称
【補正方法】変更
【補正の内容】
【発明の名称】入出力パネル
【手続補正２】
【補正対象書類名】特許請求の範囲
【補正対象項目名】全文
【補正方法】変更
【補正の内容】
【特許請求の範囲】
【請求項１】
表示素子と、第１の導電膜と、第２の導電膜と、を有し、
前記第１の導電膜は、前記表示素子と電気的に接続され、
前記第２の導電膜は、前記表示素子と重なる領域に近接するものにより一部が遮られる電界を、前記第１の導電膜との間に形成するように配置され、
前記表示素子は、第１の電極と、第２の電極と、を有し、
前記第２の電極は、前記第１の導電膜と重なる領域および前記第２の導電膜と重なる領域を有し、
前記第１の電極は、前記第２の電極と重なる領域を有する、入出力パネル。
【請求項２】
前記第２の導電膜は、透光性を有する領域を、前記第１の電極と重なる領域に有する請求項１に記載の入出力パネル。
【請求項３】
複数の画素回路を有し、
前記複数の画素回路は、前記表示素子をそれぞれ有し、
前記複数の画素回路のうち行方向に配設される複数の画素回路と電気的に接続される走査線と、
前記複数の画素回路のうち列方向に配設される複数の画素回路と電気的に接続される信号線と、を有し、
前記第１の導電膜は、前記行方向に配設される複数の画素回路および前記列方向に配設される複数の画素回路と電気的に接続される、請求項１または請求項２に記載の入出力パネル。
【請求項４】
前記第１の導電膜は、行方向に延在する複数の導電膜を含む、請求項３に記載の入出力パネル。
【請求項５】
前記表示素子は、発光性の有機化合物を含む層を、前記第１の電極および前記第２の電極の間に有し、
前記第１の電極は、透光性を有する領域を、前記第２の電極と重なる領域に有し、
前記第２の電極は、前記第１の導電膜または前記第２の導電膜の一方との間に他方を挟む領域を有する、請求項１乃至請求項４のいずれか一に記載の入出力パネル。
【請求項６】
前記画素回路は、
前記走査線と電気的に接続されるゲート電極および前記信号線と電気的に接続される第１の電極を有する第１のトランジスタと、
前記第１のトランジスタの第２の電極と電気的に接続されるゲート電極、前記第１の導電膜と電気的に接続される第１の電極および前記表示素子の第１の電極と電気的に接続される第２の電極を有する第２のトランジスタと、
前記第２のトランジスタのゲート電極に電気的に接続される第１の電極および前記第２のトランジスタの第２の電極と電気的に接続される第２の電極を有する容量素子と、を有する、請求項３または請求項４に記載の入出力パネル。
【請求項７】
前記第１のトランジスタまたは前記第２のトランジスタは、半導体膜を有し、
前記半導体膜は、インジウム、ガリウム、亜鉛および酸素を含む、請求項６に記載の入出力パネル。
【請求項８】
前記第２の導電膜は、インジウム、ガリウム、亜鉛および酸素を含む、請求項１乃至請求項７のいずれか一に記載の入出力パネル。